(57)【特許請求の範囲】
【請求項１】
混合室（４１）が開放できるように、混合室分割部（４２）と、混合室本体部（４３）とに分割され、
混合室分割部（４２）が、混合室本体部（４３）にヒンジ（４７）により揺動可能に軸着され、
混合室分割部（４２）が閉じ状態では、混合室分割部（４２）と混合室本体部（４３）とは複数の合せ面部（４４）で接触する構造の混合機において、
複数の合せ面部（４４）にラビリンス手段を設け、
前記複数の合せ面部（４４）は、前記混合室分割部（４２）の外側側面端部の第１プレート（４２ａ，４２ｃ）と、前記混合室本体部（４３）の外側側面端部の第２プレート（４３ａ，４３ｃ）とを備え、
前記ラビリンス手段は、前記第１および前記第２プレートの一方のプレートの混合室内面側の端面に設けられ他方のプレート側に突出するラビリンスバー（４３ｄ、４３ｅ）であり、
前記ラビリンスバー（４３ｄ、４３ｅ）は、前記混合室分割部（４２）の端面、前記混合室本体部（４３）の端面、前記第１および前記第２プレートの混合室内面側の端面で囲まれた空間部分に入り込んで、前記合せ面部を遮っている
ことを特徴とする混合機。
【請求項２】
請求項１記載の混合機において、
混合室本体部（４３）の前面上端部の左右幅全体に渡って、混合室内部に向かって下方に傾斜した傾斜プレート（５６）を設けたことを特徴とする混合機。
【発明の詳細な説明】
【０００１】
【発明の属する技術分野】
本発明は、清掃の容易な混合機に関する。
【０００２】
【従来の技術】
従来の混合機については、例えば特開平９−１９５２６５号公報に開示されたものがある。特開平９−１９５２６５号公報によれば、この混合機は自走式土質改良機であり、車体の下部に配設した走行体の上部のほぼ中央部に配設され、かつ土と改良材とを混合して土質を改良する混合装置と、その後方に配設された第１ホッパ及び第２ホッパと、土と改良材とを混合装置に搬送する搬送用ベルトコンベアと、改良土を搬出する改良土搬送装置とより構成されている。そして、第２ホッパの下部には定量の改良材を搬送用ベルトコンベア上に供給する土質改良材供給装置が設けられた構成となっている。
【０００３】
以下に、上記のような従来技術に係わる自走式土質改良機の一例について、図１５を参照して説明する。
【０００４】
図１５は従来の自走式土質改良機１Ａの側面図である。下部に履帯式の走行体２Ａを有する車体３Ａのほぼ中央部には混合装置４Ａが搭載され、その後方には、下部に土質改良材供給装置２０Ａを有する第２ホッパ１０Ａが配設されている。混合装置４Ａは混合室４Ａｃ内に回転カッタ４Ａａと複数の回転打撃子４Ａｂとを有する。第２ホッパ１０Ａの後方には第１ホッパ５Ａが搭載され、第１ホッパ５Ａと第２ホッパ１０Ａの下方には土と改良材を混合装置４Ａに搬送する搬送用ベルトコンベア６Ａが配設されている。混合装置４Ａの下方には改良された土を車体後方に搬出する搬出用ベルトコンベア７Ａが設けられている。８Ａは駆動装置である。
【０００５】
混合室４Ａｃ内の回転カッタ４Ａａは、土と改良材中に大きな石などがある場合にカッタを保護するため軸心が移動できるようになっている。回転カッタ４Ａａは、その回転軸を混合室４Ａｃ側面の長孔から外へ突出しており、回転軸端部を揺動アーム４ｆにより回転可能に支持され、回転カッタ４Ａａは混合室４Ａｃ内を移動可能である。複数の回転打撃子４Ａｂはその回転軸を混合室４Ａｃ側面の軸孔から外へ突出しており回転軸端部を混合室４Ａｃ側面に回転可能に支持されている。混合室４Ａｃは内部の点検、清掃のために、混合室分割部４Ａｄと混合室本体部４Ａｅに分割され混合室分割部４Ａｄはヒンジにて混合室本体部４Ａｅに軸支され混合室４Ａｃを開放できるように回動可能である。混合室分割部４Ａｄを閉じると合せ面部４Ａｇで混合室分割部４Ａｄと混合室本体部４Ａｅは接触して混合室４Ａｃ内部の土と改良材が外部に飛び出さないようになっている。混合室４Ａｃは図１５に示すように自走式土質改良機１Ａの側面からみて台形、後方からみて長方形の箱状である。
【０００６】
次に作動について説明する。第１ホッパ５Ａから搬送用ベルトコンベア６Ａに所定量の土が供給され、その土の上に第２ホッパ１０Ａ内の改良材が土質改良材供給装置２０Ａにより所定量供給される。所定量の土と改良材とは搬送用ベルトコンベア６Ａにより混合装置４Ａに搬送される。混合装置４Ａで土と改良材とは回転カッタ４Ａａにより切削、混合され、回転打撃子４Ａｂにより混合されて土質改良された混合土である良質土となって搬出用ベルトコンベア７Ａにより外部に搬出される。
【０００７】
【発明が解決しようとする課題】
しかしながら、上記のような混合機は、以下の原因により、混合室４Ａｃ外部に土や改良材や混合土が漏れ出し、混合室４Ａｃの外面に付着したり、混合室４Ａｃ内部に混合土が付着したりして、混合室４Ａｃの清掃が面倒になる問題がある。
（１）混合室分割部４Ａｄと混合室本体部４Ａｅは板金溶接構成のため合せ面部４Ａｇには隙間が生じ易く、完全に密封することができないため、合せ面部４Ａｇの隙間から混合室４Ａｃ内の混合土が外に漏れ出す。
（２）回転カッタ４Ａａの回転軸を混合室４Ａｃ側面の長孔から外へ突出しているために、長孔と回転軸との隙間から混合室４Ａｃ内の混合土が外に漏れ出す。
（３）複数の回転打撃子４Ａｂの回転軸と混合室４Ａｃ側面の軸孔との隙間から混合室４Ａｃ内の混合土が外に漏れ出す。
（４）箱状の混合室４Ａｃの稜線の内部の隅部には混合土が付着しやすく混合室４Ａｃの内部の清掃が面倒である。
【０００８】
また、最近、土と改良材を混合する場合に混合土の含水比を調整するために、水を土と改良材に噴射して混合したり、アルカリ性の土を中和させるために、改良材を液状の改良材、例えば、硫酸第１鉄としたり、酸性の土を中和させるために、改良材をアルカリ性の液状の改良材とすることが多くなっている。そのため、上記のような混合室４Ａｃの隙間があると、液状となった混合土が混合室４Ａｃ内部から外部に一層漏れ出しやすくなっている。
【０００９】
本発明は、上記の問題点に着目してなされたものであり、清掃が容易な混合機を提供することを目的としている。
【００１０】
【課題を解決するための手段、作用及び効果】
上記の目的を達成するために、第１の発明は、混合室が開放できるように、混合室分割部と、混合室本体部とに分割され、混合室分割部が、混合室本体部にヒンジにより揺動可能に軸着され、混合室分割部が閉じ状態では、混合室分割部と混合室本体部とは複数の合せ面部で接触する構造の混合機において、複数の合せ面部にラビリンス手段を設け、前記複数の合せ面部は、前記混合室分割部の外側側面端部の第１プレートと、前記混合室本体部の外側側面端部の第２プレートとを備え、前記ラビリンス手段は、前記第１および前記第２プレートの一方のプレートの混合室内面側の端面に設けられ他方のプレート側に突出するラビリンスバーであり、前記ラビリンスバーは、前記混合室分割部の端面、前記混合室本体部の端面、前記第１および前記第２プレートの混合室内面側の端面で囲まれた空間部分に入り込んで、前記合せ面部を遮っている構成としている。
第１の発明によると、混合室内部の混合土はラビリンス手段により遮られて、混合室の外部に漏れ出すことは非常に少なくなる。従って、混合機の清掃が容易になる。
【００１１】
第２の発明は、第１の発明の混合機において混合室本体部の前面上端部の左右幅全体に渡って、混合室内部に向かって下方に傾斜した傾斜プレートを設けた構成としている。
【００１２】
第２の発明によると、第１の発明の効果に加え、混合室分割部を開放した場合に、混合室分割部内部に付着している混合土が落下しても、傾斜プレートが落下した混合土を受けるので、落下した混合土は混合室本体部の内部に落ちる。従って、混合土が混合室の外部に付着することはなく、混合機の清掃が容易になる。
【００１３】
ここで、混合室内部に回転攪拌機を備え、混合室側面の長孔を通って混合室外部に突出した回転攪拌機の回転軸が、揺動可能な揺動アームに軸支され、揺動アームの基端が混合室に軸支された混合機において、長孔の外周部に長孔ラビリンス手段を設けることが好ましい。
【００１４】
このような構成によると、長孔ラビリンス手段のラビリンス効果により、混合土が混合室の外部に漏れ出すことが極めて少なくなる。従って、混合室の外側に混合土が付着することは非常に少なくなり、混合室の清掃が容易となり、結果として混合機の清掃が容易となる。
【００１５】
さらに、本発明では、長孔の下方の混合室側面に下部樋を設けることが好ましい。
【００１６】
このような構成によると、混合室の内部から漏れ出した混合土が下部樋を伝って落下する。従って、混合室の外側に混合土が付着しないので、混合機の清掃がさらに容易になる。
【００１７】
さらに、本発明では、混合室の内部に前端が入り込んだ土搬送装置を備え、混合室の下部に改良土搬送装置を備え、改良土搬送装置の後上部から改良土搬送装置の後端部に後部樋を備え、後部樋を、混合室側面に設けた下部樋より土を受けることが好ましい。
【００１８】
このような構成によると、土搬送装置の下面から落下する土を後部樋が受け、落下した土は後部樋を伝って、地面に落下する。従って、落下した土が改良土搬送装置のベルト面に付着し、ベルト面の土がローラに乗り上げて改良土搬送装置のベルトが蛇行するのを防止できる。
【００１９】
また、本発明では、混合室内部に回転攪拌機を備え、混合室側面の軸孔を通って混合室外部に突出した回転攪拌機の回転軸が、混合室外部側面に軸支された混合機において、混合室内部側面と所定の隙間を空けてラビリンス手段を回転軸に設け、ラビリンス部を形成することが好ましい。
【００２０】
このような構成によると、ラビリンス手段の混合室外側方向端面とホルダの混合室内側端面とによりラビリンス部が形成される。従って、混合室の内部の混合土はラビリンス部により遮られて、回転軸の混合室内部から外部への突出部分から、漏れ出ることは非常に少なくなり、混合土が混合機の外部に付着することが少ないので、混合機の清掃が容易になる。
【００２１】
さらに、本発明では、混合機において回転軸の支持ホルダの下部を回転軸側から外部に開放した開放部を備えた構造とすることが好ましい。
【００２２】
このような構成によると、回転軸の混合室への支持部の下部に外部へ開放している開放部が設けられており、この開放部によりホルダと支持ホルダとの間の土は開放部から下へ落下するので、ホルダと支持ホルダとの間に土が溜まることはなく、支持ホルダの混合室側端面部とカラーのフランジ部とで構成されるラビリンス溝に直接土やダストが侵入することがない。従って、ダストシールの耐久性が向上しベアリングの寿命が延びる。
【００２３】
また、本発明では、箱状の混合室を有する混合機において、混合室内部の隅部表面を曲面形状とすることが好ましい。
【００２４】
このような構成によると、混合室の複数の各稜線の内部の隅部を表面がなだらかな曲面状になる。従って、混合室内部の混合土が隅部に付着しにくくなるので、混合室の内部の清掃が容易である。
【００２５】
【発明の実施の形態】
本発明に係る混合機の実施形態について、図１〜図１４を参照して詳述する。
【００２６】
図１は、本発明に係わる混合機である自走式土質改良機１の側面図である。図２は、本発明に係わる混合機である自走式土質改良機１の側面断面図である。下部に履帯式の走行体２を有する車体３のほぼ中央部に混合装置４が搭載され、その後方には改良材ホッパ１０及び土ホッパ５が搭載されている。この履帯式の走行体２は車輪式であってもよい。土ホッパ５の前部には掻き出しロータ５ａが設けられている。改良材ホッパ１０の下部には改良材供給装置２０が設けられている。また、土ホッパ５と改良材供給装置２０の下方には土搬送装置６が配設されており、混合装置４の下方から前方に向けて改良土搬送装置７が、そして混合装置４の前方で、かつ改良土搬送装置７の上方には動力装置８が配設されている。混合装置４は混合室４１内に回転攪拌機構として、回転カッタ３１と複数の回転打撃子５１とを有する。混合室４１内の回転カッタ３１は、土と改良材の中に大きな石などがある場合に回転カッタ３１を保護するために、回転カッタ３１の回転軸心が移動でき、逃げられるようになっている。
【００２７】
そして、従来の混合機と同様に、土ホッパ５から土搬送装置６に所定量の土が供給され、その土の上に改良材ホッパ１０内の改良材が改良材供給装置２０により所定量供給される。所定量の土と改良材とは土搬送装置６により混合装置４に搬送される。混合装置４で土と改良材とは回転カッタ３１により切削、混合され、回転打撃子５１により混合されて土質改良された混合土である良質土となって改良土搬送装置７により外部に搬出される。
【００２８】
図１と同様に自走式土質改良機を側面から見た場合の混合室４１部分の詳細図である図３、及び図３のＡＡ断面図である図４に示すように、回転カッタ３１は、その回転軸３３を混合室４１側面の長孔４５から混合室４１外部へ突出しており、回転軸３３の端部を揺動アーム３２により回動可能に支持され、回転カッタ３１は混合室４１内を所定量移動可能である。揺動アーム３２のアーム支持部３２ａはピン３２ｂにより、混合室４１の上部ブラケット４６に回転可能に軸支されている。
【００２９】
図４に示すように、回転軸３３の端部の第１小径部３３ａはベアリング３４を介して揺動アーム３２に回転可能に軸支されている。ベアリング３４部にはダストシール３４ａが設けてあり、さらにダストシール３４ａ部にダストが行きにくいように、シール保護用ラビリンス３３ｃが設けてある。長孔４５は揺動アーム３２がピン３２ｂを中心として回動するので、円弧状としてあり、回転軸３３の第２小径部３３ｂの外径と長孔４５の幅方向の内側とは所定の隙間３３Ｓを持たせてある。揺動アーム３２にはラビリンスプレート３５が図示しないボルトにより取り付けられている。図３に示すように、ラビリンスプレート３５は揺動アーム３２が所定量揺動しても長孔４５を覆うような大きさにしてある。
【００３０】
ラビリンスプレート３５はその長手方向中央部に回転軸３３の第２小径部３３ｂの外径と所定の隙間３３ｂＳを持たせた孔３５ａを設けてある。ラビリンスプレート３５は混合室４１の外側面４１ＧＳと所定の隙間４１Ｓを持たせて配置してある。つまり、ラビリンスプレート３５は外側面４１ＧＳと所定の隙間４１Ｓを持たせることにより長孔ラビリンス手段３５Ｌを構成している。これにより、混合室４１内部の混合土はラビリンスプレート３５により遮られ、長孔４５から漏れ出す混合室４１の外部に直接飛び出すことはない。また、ラビリンスプレート３５と混合室４１の外側面４１ＧＳとの隙間４１Ｓに入った混合土は、ラビリンスプレート３５は外側面４１ＧＳと所定の隙間４１Ｓによる長孔ラビリンス手段３５Ｌのラビリンス効果により、混合室４１の外部に漏れ出すことが極めて少なくなる。従って、混合室４１の外側に混合土が付着することは非常に少なくなり、混合室４１の清掃が容易となり、結果として混合機の清掃が容易となる。
【００３１】
ラビリンスプレート３５の上部には所定幅の横板３５ｂを、シール保護用ラビリンス３３ｃを覆うような幅としてラビリンスプレート３５の長手方向のほぼ全体に渡って設けてある。これにより、ラビリンスプレート３５と混合室４１の外側面４１ＧＳとの隙間４１Ｓに入った混合土が、ラビリンスプレート３５の上部から出て下方に落下しても、横板３５ｂにより遮られて、回転軸３３のシール保護用ラビリンス３３ｃに行くことはないので、ベアリング３４部のダストシール３４ａの耐久性が向上する。
【００３２】
混合室４１の外側面４１ＧＳには、断面が略逆Ｌ字状の上部カバー４９と断面が略Ｌ字状の下部樋４８が図示しないボルトにより取り付けられている。上部カバー４９はラビリンスプレート３５と間隔を設けて、長孔４５の上方に設けてあり、図３に示すように側面視では円弧状をしている。下部樋４８はラビリンスプレート３５と間隔を設けて、長孔４５の下方に設けてあり、図３に示すように側面視では円弧状をしている。これにより、混合室４１の内部から漏れ出した混合土が下部樋４８のＬ字部分を伝って落下する。従って、混合室４１の外側に混合土が付着しないので、混合機の清掃が容易になる。
【００３３】
混合室４１の後部に、排出コンベアである改良土搬送装置７の後端部の上部から改良土搬送装置７の後端部の後下方に傾斜した後部樋５５が設けられている。後部樋５５部分の詳細を示す斜視図である図５に示すように、後部樋５５は混合室４１の左右幅方向より所定寸法大きい幅としている。後部樋５５の幅方向端部は上方に立ち上がったフランジ部５５ｂとなっており、前端部５５ａは混合室４１の外側面４１ＧＳに有り、前端部５５ａは図３に示すように、側面視で下部樋４８の後端部４８ａに前後方向で所定寸法Ｌだけ重なっている。後部樋５５の、前端部５５ａと前側の幅方向中間部５５ｃとは混合室４１の外面と接触させて設けてある。これにより、混合室４１の内部から漏れ出した混合土が下部樋４８のＬ字部分を伝って下部樋４８の後端部４８ａから落下しても、後部樋５５の前端部５５ａが落下した混合土を受け、後部樋５５を伝って、地面に落下する。従って、混合室４１の外側に混合土が付着しないので、混合機の清掃が容易になる。
【００３４】
また、混合室４１の内部に前端が入り込んでいる土搬送装置６の下面６ａから落下する土も後部樋５５が受け、落下した土は後部樋５５を伝って、地面に落下する。従って、落下した土がベルトコンベアである排出コンベアとしての改良土搬送装置７のベルト面７ａに付着し、ベルト面７ａの土が図１に示したベルトコンベア用のローラ７ｒに乗り上げてベルトコンベアが蛇行するのを防止できる。
【００３５】
図３に示すように、混合室４１は内部の点検、清掃のために、混合室分割部４２と混合室本体部４３に分割され混合室分割部４２はヒンジ４７にて混合室本体部４３に軸支され、一点鎖線で示すように混合室４１は回動可能であり、混合室４１は開放できる。混合室分割部４２を閉じると合せ面部４４で混合室分割部４２と混合室本体部４３は接触して混合室４１は閉じられる。合せ面部４４は混合室４１の左右両側側面及び上面に設けてある。
【００３６】
合せ面部４４は図３のＢＢ断面図である図６、及び図３のＱ部の詳細図である図７に示すようになっている。図６に示すように、混合室分割部４２の外側側面端部に所定幅のプレート４２ａを混合機の側面視で略Ｌ字状として溶接し、混合室本体部４３の外側側面端部に所定幅のプレート４３ａを混合機の側面視で略Ｌ字状として溶接している。そして、プレート４３ａの混合室４１内面側の端面に、ラビリンス手段であるラビリンスバー４３ｄを、その表面４３ｄｊがプレート４３ａの表面４３ａｊより所定寸法だけ、混合室分割部４２に溶接されたプレート４２ａ側に突出している。ラビリンスバー４３ｄは混合機の側面視で略Ｌ字状として溶接されている。つまり、ラビリンスバー４３ｄにより混合室４１内部から見ると混合室本体部４３のプレート４３ａと混合室分割部４２のプレート４２ａとの合わせ面が遮られている。また、図７に示すように、混合室分割部４２の上面端部に所定幅のプレート４２ｃを溶接し、混合室本体部４３の上面端部に所定幅のプレート４３ｃを溶接している。そして、プレート４３ｃの混合室４１内面側の端面にラビリンス手段であるラビリンスバー４３ｅを、その表面４３ｅｚがプレート４３ｃの表面４３ｃｚより所定寸法だけ、混合室分割部４２に溶接されたプレート４２ｃ側に突出している。つまり、ラビリンスバー４３ｅにより混合室４１内部から見ると混合室本体部４３のプレート４３ｃと混合室分割部４２のプレート４２ｃとの合わせ面が遮られている。また、ラビリンスバー４３ｄをプレート４２ａに溶接しても良いし、ラビリンスバー４３ｅをプレート４２ｃに溶接しても良い。
【００３７】
このようであるので、混合室分割部４２の外側側面端部の所定幅のプレート４２ａの下面４２ａｋと、混合室本体部４３の外側側面端部の所定幅のプレート４３ａの上面４３ａｊとの間に隙間が有っても、混合室４１内部の混合土はラビリンスバー４３ｄにより遮られて、混合室４１の外部に漏れ出すことは非常に少なくなる。また、混合土が液体状であっても同様に、混合室４１内部の混合土はラビリンスバー４３ｄにより遮られて、混合室４１の外部に漏れ出すことは非常に少なくなる。従って、混合機の清掃が容易になる。
【００３８】
また、同様に、混合室分割部４２の上側面端部の所定幅のプレート４２ｃの後面４２ｃｋと、混合室本体部４３の上側面端部の所定幅のプレート４３ｃの前面４３ｃｚとの間に隙間が有っても、混合室４１内部の混合土はラビリンスバー４３ｅにより遮られて、混合室４１の外部に漏れ出すことは非常に少なくなる。また、混合土が液体状であっても同様に、混合室４１内部の混合土はラビリンスバー４３ｅにより遮られて、混合室４１の外部に漏れ出すことは非常に少なくなる。従って、混合機の清掃が容易になる。
【００３９】
図３のＰ部の詳細を示す斜視図である図８に示すように、混合室４１の混合室本体部４３の前面上端部には傾斜プレート５６が設けられている。図８は説明を容易にするために、混合室分割部４２を省略している。傾斜プレート５６は所定幅のプレートを、長手方向が混合室本体部４３の前面上端部の左右幅全体に渡って、前後方向に傾斜を持たせて、ヒンジブラケット４７ａと混合室本体部４３の前面上端部とに溶接されて設けられている。
【００４０】
このようであるので、混合室分割部４２を図９に一点鎖線で示すように開放した場合に、混合室分割部４２内部に付着している混合土が落下しても、傾斜プレート５６が落下した混合土を受けるので、落下した混合土は混合室本体部４３の内部に落ちる。従って、混合土が混合室４１の外部に付着することはなく、混合機の清掃が容易になる。
【００４１】
図３のＣＣ断面図である図１０に示すように、複数の回転打撃子５１はその回転軸５２を、混合室４１の外側面４１ＧＳの軸取付孔４１ｊにボルトにより取り付けられたホルダ４１ｈの軸孔４１ｈａから混合室４１の外へ突出しており回転軸５２端部の小径部５２ｂを、支持ホルダ５３に保持されたベアリング５３ａを介して、混合室４側面に回転可能に支持されている。回転軸５２には複数のハンマ５２ｈが揺動自在に設けられ、モータ５２Ｍにより回転軸５２が回転することにより、混合室４１の内部の土と改良材を混合する。
【００４２】
ベアリング５３ａの軸方向両側にはダストシール５３ｂ、５３ｃが設けられている。回転軸５２端部の小径部５２ｂにはベアリング５３ａの混合室４１側端面に当接してカラー５３ｄが設けられている。支持ホルダ５３の混合室４１側端面部５３ｔとカラー５３ｄのフランジ部５３ｄｆとは互いの凹凸面によりラビリンス溝５３Ｌを形成し、ダストシール５３ｂに直接土やダストがかからないようにしてダストシール５３ｂを保護している。
【００４３】
回転軸５２端部の小径部５２ｂにはカラー５３ｄの混合室４１内部側端面と当接してラビリンス手段であるラビリンスリング５２ａが設けられている。ラビリンスリング５２ａの混合室４１内部側端面は回転軸５２の小径部５２ｂと大径部５２ｔとの段部５２ｄと当接している。回転軸５２の端部のスプライン部５２ｓには回転フランジ５３ｆが設けられ、ラビリンスリング５２ａと、カラー５３ｄと、ベアリング５３ａと、回転フランジ５３ｆとをワッシャ５３ｅをボルト５３ｇにより締め上げて、回転軸５２の段部５２ｄに押し付けて回転しないように固定している。
【００４４】
カラー５３ｄの混合室４１内部側の小径部５３ｄｓとホルダ４１ｈの軸孔４１ｈａとは所定の隙間５３ｄｋを設けてある。ラビリンスリング５２ａの外径は、混合室４１の内部の混合土が直接ホルダ４１ｈの軸孔４１ｈａから外部に出ないように、ホルダ４１ｈの軸孔４１ｈａの直径より所定寸法だけ大きくしてある。ラビリンスリング５２ａの混合室４１外側方向端面５２ａｔとホルダ４１ｈの混合室４１内側端面４１ｈｔとは所定の隙間５２ａｋを設けてある。カラー５３ｄのフランジ部５３ｄｆの混合室４１内部方向端面５３ｄｔと、ホルダ４１ｈの混合室４１外側端面４１ｈｓｔとは所定の隙間４１ｈｋを設けてある。以上のようにして、回転軸５２の混合室４１内部から外部への突出部分には、ラビリンスリング５２ａの混合室４１外側方向端面５２ａｔとホルダ４１ｈの混合室４１内側端面４１ｈｔとによりラビリンス部５２ｄＬを設けてある。従って、混合室４１の内部の混合土はラビリンス部５２ｄＬにより遮られて、回転軸５２の混合室４１内部から外部への突出部分から、漏れ出ることは非常に少なくなり、混合土が混合機４１の外部に付着することが少ないので、混合機の清掃が容易になる。
【００４５】
支持ホルダ５３を示す斜視図である図１１、及び図１０のＤＤ断面図である図１２に示すように、支持ホルダ５３は円盤状のモータ取付部５３ｍｔの両側に支持フランジ部５３ｓｆが設けられている。支持フランジ部５３ｓｆの幅Ｆｈはモータ取付部５３ｍｔの直径Ｍｄより小さくしてある。これにより、図１０に示すように、回転軸５２の混合室４１への支持部の下部に外部へ開放している開放部Ｋｓを設けている。この開放部Ｋｓによりホルダ４１ｈと支持ホルダ５３との間の土は開放部Ｋｓから下へ落下するので、開放部Ｋｓによりホルダ４１ｈと支持ホルダ５３との間に土が溜まることはなく、支持ホルダ５３の混合室４１側端面部５３ｔとカラー５３ｄのフランジ部５３ｄｆとで構成されるラビリンス溝５３Ｌに直接土やダストが侵入することがない。従って、ダストシール５３ｂの耐久性が向上しベアリング５３ａの寿命が延びる。
【００４６】
混合室４１は図１に示すように自走式土質改良機１の側面からみて台形、後方からみて長方形の箱状である。図３のＥＥ断面図である図１３の（ａ）及び図１３の（ａ）のＳ部の断面図である図１３の（ｂ）に示すように、箱状の混合室４１の稜線の内部の隅部４１ＵＳにはリブ４１Ｒが両側を溶接により固着されて設けられ、その表面を覆うようにゴムシート４１Ｇをボルト４１Ｇｂ及びナット４１Ｇｎにより混合室４１の内部に取り付けている。このようにして、混合室４１の複数の各稜線の内部の隅部４１ＵＳを、表面がなだらかな曲面状にしている。従って、混合室４１内部の混合土が隅部４１ＵＳに付着しにくくなるので、混合室４ｃの内部の清掃が容易である。ゴムシート４１Ｇは合成樹脂系のシートでも良い。また、稜線の内部の隅部４１ＵＳの他の例を示した図１４に示すように、稜線の内部の隅部４１ＵＳにはリブ４１Ｒの代りに断面が円弧状の円弧リブ４１Ｒｒを溶接しても良い。これにより、円弧リブ４１Ｒｒの円弧の内側表面がなだらかな曲面状になるので、ゴムシート４１Ｇを省略でき、混合室４１の製作コストが低くなる。
【００４７】
以上の通りであるので、本発明による混合機であれば、混合土の付着が少なく、清掃が容易である。また、混合機の回転軸部のベアリング部への土、混合土、ダストの侵入が少なく、混合機の耐久性が向上する。
【図面の簡単な説明】
【図１】本発明に係わる混合機である自走式土質改良機の側面図である。
【図２】本発明に係わる混合機である自走式土質改良機の側面断面図である。
【図３】混合室部分の詳細図である。
【図４】図３のＡＡ断面図である。
【図５】後部樋部分の詳細を示す斜視図である。
【図６】図３のＢＢ断面図である。
【図７】図３のＱ部の詳細図である。
【図８】図３のＰ部の詳細を示す斜視図である。
【図９】混合室分割部を示す詳細図である。
【図１０】図３のＣＣ断面図である。
【図１１】支持ホルダを示す斜視図である。
【図１２】図１０のＤＤ断面図である。
【図１３】図３のＥＥ断面図である。
【図１４】混合室の稜線の内部の隅部の他の例を示した断面図である。
【図１５】従来の自走式土質改良機の側面図である。
【符号の説明】
６…土搬送装置、７…改良土搬送装置、３２…揺動アーム、３３…回転軸、３５Ｌ…長孔ラビリンス手段、４１…混合室、４１ｈａ…軸孔、４２…混合室分割部、４３…混合室本体部、４３ｄ，４３ｅ…ラビリンスバー、４４…合せ面部、４５…長孔、４７…ヒンジ、４８…下部樋、５２…回転軸、５２ａ…ラビリンスリング、５２ｄＬ…ラビリンス部、５３…支持ホルダ、５５…後部樋、５６…傾斜プレート、Ｋｓ…開放部。
【図１】
0004801842.tif 000002
【図２】
0004801842.tif 000003
【図３】
0004801842.tif 000004
【図４】
0004801842.tif 000005
【図５】
0004801842.tif 000006
【図６】
0004801842.tif 000007
【図７】
0004801842.tif 000008
【図８】
0004801842.tif 000009
【図９】
0004801842.tif 000010
【図１０】
0004801842.tif 000011
【図１１】
0004801842.tif 000012
【図１２】
0004801842.tif 000013
【図１３】
0004801842.tif 000014
【図１４】
0004801842.tif 000015
【図１５】
0004801842.tif 000016